(57)【要約】【課題】清浄な状態で容器に収容された被包装物を、清浄な状態で容器から取り出すことが可能な密閉容器、および清浄な状態での当該被包装物の容器からの取り出しに便利な密閉容器セット、を提供する。【解決手段】密閉容器２００は、Ｘ方向に配列する八つの容器２１００を有する複室容器２１０と、八つの容器２１００の全ての開口部２１１を塞ぐ一体のフィルム２２０とを有する。各容器２１００には、チップ２３０が収容されている。フィルム２２０は、外部から押すことで容器２１００側へ折り曲げ可能な第１の折れ蓋部および第２の折れ蓋部を含む部分で開口部２１１を塞いでいる。密閉容器２００を支持枠３００に係止させることによって、密閉容器セット１００が構成される。【選択図】図３
2015098351.tif 000002
【特許請求の範囲】
【請求項１】
開口部を有する容器と、前記容器に接着して前記開口部を密閉するフィルムと、を有する密閉容器であって、
前記フィルムは、前記容器に接着している第１のフィルム層と、前記第１のフィルム層に接着している第２のフィルム層と、を有し、
前記第１のフィルム層は、前記開口部に対応する部分に、第１の切断線によって形成された、前記容器に向けて押したときに前記容器側に折れ曲がる第１折れ蓋部を有し、
前記第２のフィルム層は、前記開口部に対応する部分に、第２の切断線によって形成された、前記容器に向けて押したときに前記容器側に折れ曲がる第２折れ蓋部を有し、
前記第１の切断線および前記第２の切断線は、前記フィルムにおける積層方向において前記開口部上で重ならず、前記第１の折れ蓋部の少なくとも一部は、前記積層方向において前記第２の折れ蓋部に重なり、前記第２の折れ蓋部を前記容器に向けて押したときに、前記第２の折れ蓋部および前記第１の折れ蓋部の両方が前記容器に向けて折れ曲がる、
密閉容器。
【請求項２】
前記第１の切断線は、前記積層方向に直交する第１の方向における一方に突出する形状の前記第１折れ蓋部を形成し、
前記第２の切断線は、前記第１の方向における他方に突出する形状の前記第２折れ蓋部を形成する、
請求項１に記載の密閉容器。
【請求項３】
前記第１の切断線および前記第２の切断線は、いずれも前記開口部上に配置され、前記第１の切断線および第２の切断線の一方は、前記第１の切断線および第２の切断線の他方を取り囲んでいる、請求項１または２に記載の密閉容器。
【請求項４】
前記容器は、被包装物を収容している、請求項１〜３のいずれか一項に記載の密閉容器。
【請求項５】
前記容器は、複数の前記容器が一方向に配置されている複室容器を構成し、
前記フィルムは、前記複室容器の全ての前記開口部を一体で密閉している、請求項１〜４のいずれか一項に記載の密閉容器。
【請求項６】
前記複室容器は、隣り合う前記容器を連結する破断可能な薄肉部をさらに有する、請求項５に記載の密閉容器。
【請求項７】
前記複室容器は、前記複室容器の両端に配置された、前記密閉容器を支持するための支持枠に係止するための係止部をさらに有する、請求項５または６に記載の密閉容器。
【請求項８】
請求項７に記載の密閉容器と、前記支持枠と、を含む、密閉容器セット。
【発明の詳細な説明】
【技術分野】
【０００１】
本発明は、清浄な状態で収容された被包装物を清浄な状態で取り出すのに好適な密閉容器および密閉容器セットに関する。
【背景技術】
【０００２】
医薬に係る検査、診断および治療では、使用器具および医薬品が汚染されていないことが重要である。たとえば、当該検査では、エンドトキシンフリーの清浄な状態で容器に収容された液体をマイクロピペットによって採取し、使用することがある。
【０００３】
上記容器には、例えば、図１Ａおよび図１Ｂに示される液体容器が知られている。液体容器１０は、液体供給部１１を備える容器本体１２と、容器本体１２の開口部を囲む枠１３上に配置される封止シート１４と、封止シート１４上に配置される蒸発防止シート１５と、複数の貫通孔１６を有し、蒸発防止シート１５を覆う金属製のカバー１７と、を有する。蒸発防止シート１５は、貫通孔１６に対応する位置に、複数の十字状の切り込み１８を有する。マイクロピペットのチップ２０は、貫通孔１６から挿入され、切り込み１８により蒸発防止シート１５を押し曲げ、容器本体１２に収容された液体に到達する。こうして、容器本体１２に収容されている液体は、マイクロピペットに採取される（例えば、特許文献１参照）。
【先行技術文献】
【特許文献】
【０００４】
【特許文献１】特開２００７−２６３８６９号公報
【発明の概要】
【発明が解決しようとする課題】
【０００５】
蒸発防止シート１５は、切り込み１８を有する。このため、容器本体１２の内部は、常に、切り込み１８を介して液体容器１０の外部に面している。したがって、容器本体１２の外部から切り込み１８を介して容器本体１２の内部が汚染され、その結果、汚染された液体が採取されることがある。このように、液体容器１０は、清浄な状態で容器本体１２に収容された被収容物を清浄な状態で容器本体１２から取り出す点で、改善の余地が残されている。
【０００６】
本発明は、清浄な状態で容器に収容された被包装物を、清浄な状態で容器から取り出すことが可能な密閉容器を提供することを第１の課題とする。
【０００７】
また、本発明は、清浄な状態での当該被包装物の容器からの取り出しに便利な密閉容器セットを提供することを第２の課題とする。
【課題を解決するための手段】
【０００８】
本発明は、開口部を有する容器と、前記容器に接着して前記開口部を密閉するフィルムと、を有する密閉容器であって、前記フィルムは、前記容器に接着している第１のフィルム層と、前記第１のフィルム層に接着している第２のフィルム層と、を有し、前記第１のフィルム層は、前記開口部に対応する部分に、第１の切断線によって形成された、前記容器に向けて押したときに前記容器側に折れ曲がる第１折れ蓋部を有し、前記第２のフィルム層は、前記開口部に対応する部分に、第２の切断線によって形成された、前記容器に向けて押したときに前記容器側に折れ曲がる第２折れ蓋部を有し、前記第１の切断線および前記第２の切断線は、前記フィルムにおける積層方向において前記開口部上で重ならず、前記第１の折れ蓋部の少なくとも一部は、前記積層方向において前記第２の折れ蓋部に重なり、前記第２の折れ蓋部を前記容器に向けて押したときに、前記第２の折れ蓋部および前記第１の折れ蓋部の両方が前記容器に向けて折れ曲がる、密閉容器、を提供する。
【０００９】
また、本発明は、複数の前記容器が一方向に配置されている複室容器を含む上記密閉容器と、当該密閉容器を支持するための支持枠と、を含む、密閉容器セット、を提供する。
【発明の効果】
【００１０】
本発明に係る密閉容器では、二層構造のフィルムを当該フィルムの外側から容器側に押すことによって容器の内外を連通する開口が形成され、当該開口を通して容器内の被収容物を引き出すことによって、被収容物がフィルムの清浄な部分に接触しながら容器から取り出される。よって、本発明によれば、清浄な状態で容器に収容された被包装物を清浄な状態で容器から取り出すことが可能となる。また、本発明に係る密閉容器セットでは、複数の上記容器を支持することが可能である。よって、本発明によれば、清浄な状態での当該被包装物の容器からの取り出しに便利な密閉容器セットを提供することが可能となる。
【図面の簡単な説明】
【００１１】
【図１】図１Ａは、従来の液体容器の分解斜視図であり、図１Ｂは、液体採取時の液体容器の構造を模式的に示す断面図である。
【図２】本発明の一実施の形態に係る密閉容器セットの斜視図である。
【図３】図３Ａは、本発明の一実施の形態に係る密閉容器セットの平面図であり、図３Ｂは、当該密閉容器セットの、図３Ａ中のＢ−Ｂ線に沿っての断面図である。
【図４】本発明の一実施の形態に係る密閉容器の斜視図である。
【図５】図５Ａは、本発明の一実施の形態における密閉容器の正面図であり、図５Ｂは、当該密閉容器の、図３Ａ中のＢ−Ｂ線に沿っての断面図であり、図５Ｃは、当該密閉容器の平面図である。
【図６】図５Ｂ中のＣ部を拡大して示す図である。
【図７】図７Ａは、本発明の一実施の形態におけるフィルムの斜視図であり、図７Ｂは、当該フィルムの平面図であり、図７Ｃは、当該フィルムの正面図である。
【図８】図８Ａは、図７Ｂ中のＡ部を拡大して示す図であり、図８Ｂは、本発明の一実施形態におけるフィルムの、図８Ａ中のＢ−Ｂ線に沿っての断面図である。
【図９】図９Ａは、ピペッタによって第２の折れ蓋部がわずかに押された状態を模式的に示すフィルムおよびピペッタの断面図であり、図９Ｂは、第２の折れ蓋部がピペッタによってさらに押された状態を模式的に示すフィルムおよびピペッタの断面図であり、図９Ｃは、容器内に侵入したピペッタが容器内でチップに装着された状態を模式的に示すフィルム、ピペッタおよびチップの断面図であり、図９Ｄは、ピペッタに装着されたチップが容器から取り出される途中の状態を模式的に示すフィルムおよびチップの断面図である。
【図１０】図１０Ａは、係止部の一変形例を示す図であり、図１０Ｂは、当該係止部を係止する支持枠の一変形例の要部拡大平面図であり、図１０Ｃは、当該支持枠の一変形例の要部拡大側面図である。
【図１１】図１１Ａは、本発明における第１の切断線および第２の切断線の第１の変形例を模式的に示す図であり、図１１Ｂは、本発明における第１の切断線および第２の切断線の第２の変形例を模式的に示す図であり、図１１Ｃは、本発明における第１の切断線および第２の切断線の第３の変形例を模式的に示す図である。
【図１２】図１２Ａは、本発明における第１の切断線および第２の切断線の第４の変形例を模式的に示す図であり、図１２Ｂは、本発明における第１の切断線および第５の切断線の第２の変形例を模式的に示す図である。
【図１３】本発明に係る密閉容器の一変形例の要部を拡大して示す図である。
【発明を実施するための形態】
【００１２】
以下、本発明の実施の形態について、図面を参照して詳細に説明する。
【００１３】
［構成］
図２は、本発明の第１の実施の形態に係る密閉容器セット１００の斜視図である。図３Ａは、密閉容器セット１００の平面図であり、図３Ｂは、密閉容器セット１００の、図３Ａ中のＢ−Ｂ線に沿っての断面図である。密閉容器セット１００は、密閉容器２００と支持枠３００とを含む。
【００１４】
図４は、密閉容器２００の斜視図である。図５Ａは、密閉容器２００の正面図であり、図５Ｂは、密閉容器２００の、図３Ａ中のＢ−Ｂ線に沿っての断面図であり、図５Ｃは、密閉容器２００の平面図である。図６は、図５Ｂ中のＣ部を拡大して示す図である。密閉容器２００は、複室容器２１０およびフィルム２２０を有する。
【００１５】
複室容器２１０は、Ｘ方向に一列に並列する八つの容器２１００を含む（図４）。容器２１００は、開口部２１１を有する（図５Ｃ）。複室容器２１０では、開口部２１１がＸ方向に一列に配列するように容器２１００が並んでいる。
【００１６】
容器２１００は、Ｘ方向に直交するＺ方向を深さ方向とする細長な有底の容器である。容器２１００は、いずれもマイクロピペット用のチップ２３０を収容している（図５Ｂ）。チップ２３０は、例えばエンドトキシンフリーの清浄な状態で容器２１００のそれぞれに収容されている。
【００１７】
開口部２１１の形状は、容器２１００に収容される被収容物の形状に応じて設定することができ、例えば、上記被収容物がチップ２３０であれば、円形である。複室容器２１０は、開口部２１１の周囲に、Ｚ方向におけるフィルム２２０側に突出する突条２１２をさらに有する（図６）。突条２１２の平面視形状は、開口部２１１の形状と同じく、円形である。突条２１２のＺ方向における突出長さ（図６中のｈ）は、例えば０．５ｍｍである。
【００１８】
複室容器２１０は、Ｘ方向に隣り合う容器２１００を連結する破断可能な薄肉部２４０をさらに有している（図５Ａ、図６）。薄肉部２４０は、隣接する容器２１００の外周壁間の部分であり、Ｚ方向における薄肉部２４０の長さは５．０ｍｍであり、Ｘ方向およびＺ方向に直交するＹ方向における薄肉部２４０の長さ（幅）は０．５ｍｍであり、Ｘ方向における薄肉部２４０の長さ（厚さ）は、０．５ｍｍである。
【００１９】
複室容器２１０は、複室容器２１０の両端に配置された係止部２５０をさらに有している（図４）。係止部２５０は、複室容器２１０の端からＸ方向に沿ってさらに外側へ突出する突出部２５１と、突出部２５１からＺ方向に沿ってフィルム２２０とは反対側に延出する棒２５２と、を有する。
【００２０】
複室容器２１０は、例えば、樹脂の射出成形によって得られる。樹脂の種類の例には、ポリオレフィン系樹脂、ポリアミド系樹脂、ポリスチレン系樹脂、ポリメタクリル酸メチル樹脂、ポリカーボネートおよびシクロオレフィンコポリマー樹脂が含まれる。ポリオレフィン系樹脂の例には、ホモポリプロピレン、ランダムポリプロピレン、ブロックポリプロピレンなどのポリプロピレン系樹脂；および、高密度ポリエチレン、低密度ポリエチレンなどのポリエチレン系樹脂；が含まれる。ポリアミド系樹脂の例には、ナイロンが含まれる。ポリスチレン系樹脂の例には、強化用のゴム成分が配合されていてもよいポリスチレンが含まれる。
【００２１】
図７Ａは、フィルム２２０の斜視図であり、図７Ｂは、フィルム２２０の平面図であり、図７Ｃは、フィルム２２０の正面図である。図８Ａは、図７Ｂ中のＡ部を拡大して示す図であり、図８Ｂは、フィルム２２０の、図８Ａ中のＢ−Ｂ線に沿っての断面図である。
【００２２】
フィルム２２０は、複室容器２１０に接着している第１のフィルム層２２１と、第１のフィルム層２２１に接着している第２のフィルム層２２２と、を有する（図６、図７Ｃ）。
【００２３】
第１のフィルム層２２１は、開口部２１１のそれぞれに対応する部分に、第１の切断線２２３によって形成された第１折れ蓋部２２５を有する。第２のフィルム層２２２は、開口部２２１のそれぞれに対応する部分に、第２の切断線２２４によって形成された第２折れ蓋部２２６を有する（図８Ａ、図８Ｂ）。
【００２４】
図５Ｃおよび図８Ａに示されるように、第１の切断線２２３の形状は、Ｙ方向の一方に凸の曲線である。また、第２の切断線２２４の形状は、Ｙ方向の他方に凸の曲線である。Ｚ方向は、フィルム２２０の積層方向である。Ｙ方向は、Ｚ方向に直交する第１の方向である。なお、Ｘ方向は、Ｙ方向を横切る（本実施の形態では直交する）第２の方向であり、開口部２１１の配列方向でもある。
【００２５】
第１の切断線２２３および第２の切断線２２４は、Ｚ方向において重ならない。また、Ｘ方向における第１の切断線２２３の両端の位置は、第２の切断線２２４の両端の位置よりも外側にある（図８Ａ）。さらに、Ｘ方向における第１の切断線２２３の両端の位置および第２の切断線２２４の両端の位置は、いずれも、開口部２２１のＸ方向における内側にある（図５Ｃ）。
【００２６】
Ｚ方向において、第１の折れ蓋部２２５の上には第２の折れ蓋部２２６に重なっている（図８Ａ）。第１の折れ蓋部２２５は、第１のフィルム層２２１の、容器２１００に向けて押したときに容器２１００側に折れ曲がる部分である。第２の折れ蓋部２２６は、第２のフィルム層２２２の、容器２１００に向けて押したときに容器２１００側に折れ曲がる部分である。たとえば、第１の折れ蓋部２２５は、第１のフィルム層２２１における、平面視において第１の切断線２２３と第２の切断線２２４とに挟まれた部分である。また、たとえば、第２の折れ蓋部２２６は、第２のフィルム層２２２における、平面視において第１の切断線２２３と第２の切断線２２４とに挟まれた部分である。このように、フィルム２２０は、第２の折れ蓋部２２６を容器２１００に向けて押したときに、第２の折れ蓋部２２６および第１の折れ蓋部２２５の両方が容器２１００に向けて折れ曲がるように構成されている。
【００２７】
第１の切断線２２３のＸ方向における一端から第２の切断線２２４のＸ方向における一端までのＸ方向における距離Ｄｘ（図８Ａ）は、第１の切断線２２３および第２の切断線２２４がＺ方向において互いに重ならず、第１の折れ蓋部２２５および第２の折れ蓋部２２６が容器２１００側に折れたときに所期の寸法の開口が形成され、かつ、第２の折れ蓋部２２６を容器２１００側に押したときに、第１の折れ蓋部２２５および第２の折れ蓋部２２６の両方が容器２１００側に折れ曲がる範囲、から適宜に決めることが可能である。たとえば、距離Ｄｘは、第１の切断線２２３の一端の位置よりも第２の切断線２２４の一端の位置が開口部２１１の縁に近い位置にある場合を正としたときに、−２〜２ｍｍである。
【００２８】
第１の切断線２２３のＸ方向における一端から第２の切断線２２４のＸ方向における一端までのＹ方向における距離Ｄｙ（図８Ａ）は、第１の切断線２２３および第２の切断線２２４がＺ方向において互いに重ならず、かつ、第２の折れ蓋部２２６を容器２１００側に押したときに、第１の折れ蓋部２２５および第２の折れ蓋部２２６の両方が容器２１００側に折れ曲がる範囲、から適宜に決めることが可能である。たとえば、距離Ｄｙは、０ｍｍ以上が好ましい。
【００２９】
第１の切断線２２３の一端または第２の切断線２２４の一端から開口部２１１の開口端縁までのＸ−Ｙ平面における最短の距離（本実施の形態ではＸ方向における距離）は、第２の折れ蓋部２２６および第１の折れ蓋部２２５が容器２１００側に折れ曲がることで形成される開口の所期の寸法から、適宜に決めることが可能である。開口部２１１とほぼ同じ大きさの被収容物を取り出す観点から、例えば、当該最短距離は、７．０〜１０．０ｍｍである。
【００３０】
第１のフィルム層２２１および第２のフィルム層２２２は、例えばいずれも、樹脂製のフィルムの裁断によって得られる。当該樹脂の種類の例には、ポリエステル樹脂、ポリオレフィン樹脂、ポリアミド系樹脂、ポリカーボネート、エチレン共重合体およびこれらの組み合わせが含まれる。ポリエステル樹脂の例には、ポリエチレンテレフタレートおよびポリエチレンナフタレートが含まれる。ポリオレフィン系樹脂の例には、高密度ポリプロピレン、低密度ポリエチレン、直鎖状低密度エチレン−α−オレフィン共重合体、ホモポリプロピレン、および、エチレンおよびプロピレンをモノマーとしたランダム共重合ポリプロピレンが含まれる。エチレン共重合体は、エチレンと、（メタ）アクリル酸アルキルエステルまたはビニルエステルとの共重合体である。第１のフィルム層２２１および第２のフィルム層２２２は、金属箔と樹脂製フィルムとの積層体のように、第１のフィルム層２２１または第２のフィルム層２２２として適切に機能する範囲において、樹脂以外の材料を含んでいてもよい。
【００３１】
第１のフィルム層２２１の厚さおよび第２のフィルム層２２２の厚さは、いずれも、第１の折れ蓋部２２５および第２の折れ蓋部２２６が所期の機能を奏する範囲で、適宜に決めることが可能である。たとえば、第１のフィルム層２２１の厚さおよび第２のフィルム層２２２の厚さは、１０〜２００μｍである。
【００３２】
フィルム２２０は、互いに弱く接着している第１のフィルム層２２１および第２のフィルム層２２２を有する二層構造のフィルム（イージーピールフィルム）の第１のフィルム層２２１および第２のフィルム層２２２のそれぞれをハーフカットして、第１のフィルム層２２１に第１の切断線２２３を形成し、第２のフィルム層２２２に第２の切断線２２４を形成することによって構成することが可能である。
【００３３】
複室容器２１０の開口部２１１側の端面へのフィルム２２０の接着は、例えば熱融着によって行うことができる。フィルム２２０の熱融着時に、例えばシリコーンゴム製の弾性体でフィルム２２０を複室容器２１０に向けて適度な力で押圧することによって、突条２１２の周壁面にも密着するように、フィルム２２０を複室容器２１０に接着することができる。
【００３４】
支持枠３００は、図２、図３Ａおよび図３Ｂに示されるように、平面視形状が矩形である枠である。支持枠３００は、Ｙ方向に沿う一対の長辺部のそれぞれのＺ方向における一端面に、１２個の穴３１０を有している。穴３１０は、棒２５２を収容する寸法を有する。支持枠３００の材料は、特に限定されない。支持枠３００は、例えば、樹脂の成形によって得ることができる。当該樹脂の種類の例には、ポリオレフィン系樹脂、ポリアミド系樹脂、ポリスチレン系樹脂、ポリメタクリル酸メチル樹脂、ポリカーボネートおよびシクロオレフィンコポリマー樹脂が含まれる。
【００３５】
［作用］
支持枠３００の一対の上記長辺部に配置された、対向する位置にある一対の穴３１０のそれぞれに、密閉容器２００の両端の係止部２５０の棒２５２のそれぞれを挿入する。当該挿入により、係止部２５０が支持枠３００に脱着可能に係止し、密閉容器２００が、開口部２１１をＺ方向の一方に向けて支持枠３００に支持される（図３Ｂ）。
【００３６】
たとえば、Ｘ方向における開口部２１１の中心間距離を９ｍｍ、支持枠３００のＹ方向における穴３１０の中心間距離を９ｍｍに設定して、支持枠３００の１２対の穴３１０に１２体の密閉容器２００を支持すると、支持枠３００に支持された１２体の密閉容器２００の開口部２１１の位置は、９６穴のマイクロプレートにおけるウエルの配置と同じになる（図２、図３Ａ）。
【００３７】
第１の折れ蓋部２２５および第２の折れ蓋部２２６は、通常は、互いに重なっている。また、第１の切断線２２３および第２の切断線２２４が互いにＺ方向において重なっていない。よって、開口部２１１は、通常は、フィルム２２０によって密閉されている。容器２１００に収容されているチップ２３０は、通常、エンドトキシンフリーの清浄な状態に保たれている。チップ２３０は、例えば、以下のように取り出される。
【００３８】
図９Ａは、ピペッタ４００によって第２の折れ蓋部２２６がわずかに押された状態を模式的に示すフィルム２２０およびピペッタ４００の断面図であり、図９Ｂは、第２の折れ蓋部２２６がピペッタ４００によってさらに押された状態を模式的に示すフィルム２２０およびピペッタ４００の断面図である。
【００３９】
第２の折れ蓋部２２６をピペッタ４００の先端で押すと、第２の折れ蓋部２２６が容器２１００側に折れ始める。第２の折れ蓋部２２６の折れ曲がりに伴い、第１の折れ蓋部２２５は、第２の折れ蓋部２２６から剥がれながら容器２１００側に折れ曲がる。第１の折れ蓋部２２５が第２の折れ蓋部２２６から剥がれて第１の折れ蓋部２２５および第２の折れ蓋部２２６が共に容器２１００側に折れ曲がると、第２のフィルム層２２２には、第２の切断線２２４を開口端縁の一部とする開口が形成され、第１のフィルム層２２１には、第１の切断線２２３を開口端縁の一部とする開口が形成される。こうして、ピペット４００は、第１のフィルム層２２１および第２のフィルム層２２２のそれぞれに形成された開口を通って、容器２１００内に挿入される。
【００４０】
図９Ｃは、容器２１００内に挿入されたピペッタ４００が容器２１００内でチップ２３０に装着された状態を模式的に示すフィルム２２０、ピペッタ４００およびチップ２３０の断面図である。チップ２３０がピペッタ４００に装着されると、ピペッタ４００が引き抜かれる。
【００４１】
第２のフィルム層２２２の表面がエンドトキシンに汚染されている場合、ピペッタ４００の先端の、第２の折れ蓋部２２６に接触する部分も汚染される可能性がある。しかしながら、チップ２３０の使用時においてチップ２３０に吸い込まれる液体は、ピペッタ４００には通常は接触しない。このため、チップ２３０は、ピペッタ４００の汚染の有無に関わらず、実質的に汚染されていない、清浄な状態でピペッタ４００に装着される。
【００４２】
図９Ｄは、ピペッタ４００に装着されたチップ２３０が容器２１００から取り出される途中の状態を模式的に示すフィルム２２０およびチップ２３０の断面図である。挿入されたピペッタ４００には、容器２１００側に折れ曲がった第２の折れ蓋部２２６および第１の折れ蓋部２２５のそれぞれが接触している。すなわち、ピペッタ４００には、第２のフィルム層２２２の表面および第１のフィルム層２２１の表面が当接している。
【００４３】
容器２１００からのピペッタ４００の引き抜き時には、第１の折れ蓋部２２５および第２の折れ蓋部２２６は、いずれも、ピペッタ４００と接触する。そして、ピペッタ４００との摩擦によって、または第１の折れ蓋部２２５の先端および第２の折れ蓋部２２６の先端がチップ２３０の基端に当接することによって、ピペッタ４００の引き抜きに伴い、第１の折れ蓋部２２５および第２の折れ蓋部２２６は裏返る。
【００４４】
ピペッタ４００の先端に装着されたチップ２３０は、ピペッタ４００の引き抜き時に、裏返った第１の折れ蓋部２２５および第２の折れ蓋部２２６に接触する。すなわち、チップ２３０は、ピペッタ４００の引き抜き時には、第１の折れ蓋部２２５および第２の折れ蓋部２２６の清浄な裏面が接触する。
【００４５】
よって、チップ２３０は、エンドトキシンに汚染されることなく、清浄な状態で容器２１００から取り出される。清浄な状態で取り出されたチップ２３０は、ピペッタ４００に既に装着されているので、清浄な状態のまま使用される。このように、本実施の形態に係る密閉容器２００は、フィルム２２０の外側から容器２１００に挿入される部材の先端に支持される、清浄な状態で収容された固形物を、清浄な状態で取り出すのに適している。
【００４６】
密閉容器２００は、支持枠３００に支持されていることから、８連の容器２１００の全てに８連のピペッタを挿入すると、８連のピペッタの先端の全てに、上記のようにチップ２３０が装着される。
【００４７】
また、薄肉部２４０の直上でＹ方向に沿ってフィルム２２０を切断し、薄肉部２４０を破断すると、第１の折れ蓋部２２５と第２の折れ蓋部２２６を含むフィルム製の一つの蓋で一つの容器２１００が密封された個別の密閉容器が得られる。
【００４８】
［効果］
密閉容器セット１００は、前述したように、密閉容器２００と支持枠３００とを含む。よって、容器２１０の開口部２１１を上方に向けて密閉容器２００を取り扱うことが可能なので、清浄な状態でのチップ２３０の容器２１００からの取り出しに便利である。
【００４９】
密閉容器２００は、前述したように、開口部２１１を有する容器２１００と、容器２１００に接着して開口部２１１を密閉するフィルム２２０と、を有する。そして、容器２１００は、いずれもチップ２３０を収容しており、フィルム２２０は、容器２１００に接着している第１のフィルム層２２１と、第１のフィルム層２２１に接着している第２のフィルム層２２２と、を有する。そして、第１のフィルム層２２１は、開口部２１１に対応する部分に、第１の切断線２２３によって形成された、容器２１００に向けて押したときに容器２１００側に折れ曲がる第１折れ蓋部２２５を有し、第２のフィルム層２２２は、開口部２１１に対応する部分に、第２の切断線２２４によって形成された、容器２１００に向けて押したときに容器２１００側に折れ曲がる第２折れ蓋部２２６を有する。さらには、第１の切断線２２３および第２の切断線２２４は、Ｚ方向において開口部２１１上で重ならず、第１の折れ蓋部２２５の少なくとも一部は、Ｚ方向において第２の折れ蓋部２２６に重なっている。第２の折れ蓋部２２６および第１の折れ蓋部２２５は、いずれも、第２の折れ蓋部２２６を容器２１００に向けて押したときに、容器２１００に向けて折れ曲がる。第１の折れ蓋部２２５および第２の折れ蓋部２２６は、ピペッタ４００に対する摩擦やチップ２３０の端部への当接などによって、ピペッタ４００の引き抜きに伴い、例えば引きずられて、そして裏返る。よって、容器２１００から取り出されるチップ２３０は、第１の折れ蓋部２２５および第２の折れ蓋部２２６に接触したとしても、第１の折れ蓋部２２５および第２の折れ蓋部２２６の清浄な面、すなわち裏面にのみ接触する。よって、密閉容器２００によれば、清浄な状態で容器２１００に収容されたチップ２３０を、清浄な状態で容器２１００から取り出すことができる。
【００５０】
また、第１の切断線２２３が、Ｙの方向の一方に突出する形状の第１折れ蓋部２２５を形成し、第２の切断線２２４がＹ方向の他方に突出する形状の第２折れ蓋部２２６を形成することは、開口部２１１の寸法により近い大きさの開口をフィルム２２０に形成する観点から、より効果的である。
【００５１】
また、Ｘ方向における第１の切断線２２３の両端の位置が第２の切断線２２４の両端の位置よりも外側にあることは、第１の切断線２２３および第２の切断線２２４をＺ方向に重ならないように配置し、かつＹ方向により大きい開口をフィルム２２０に形成する観点から、より効果的である。
【００５２】
また、Ｘ方向における第１の切断線２２３の両端の位置および第２の切断線２２４の両端の位置のいずれもが開口部２１１のＸ方向における内側にあることによって、第１の切断線２２３の両端を結ぶ仮想線および第２の切断線２２４の両端を結ぶ仮想線の全長を、第１の折れ蓋部２２５および第２の折れ蓋部２２６が折れ曲がる基端部とすることができる。したがって、第１の切断線２２３および第２の切断線２２４が上記の位置関係にあることは、第１の切断線および第２の切断線が開口部２１１の外側まで延出する場合に比べてフィルム２２０に容易に開口を形成する観点から、より一層効果的である。
【００５３】
また、容器２１００が、八つの容器２１００が一方向に配置されている複室容器２１０を構成し、フィルム２２０が複室容器２１０の全ての開口部２１１を一体で密閉していると、容器２１００を個別にフィルムで塞ぐ場合に比べて、密閉容器２００の生産性をより高める観点、および、密閉容器２００の生産過程における汚染の危険性を大幅に低減させる観点、からより一層効果的である。
【００５４】
また、複室容器２１０が隣り合う容器２１００を連結する破断可能な薄肉部２４０をさらに有することは、８連の密閉容器を個別に利用可能にする観点からより一層効果的である。
【００５５】
また、複室容器２１０が、複室容器２１０両端に配置された、支持枠３００に係止するための係止部２５０をさらに有することは、清浄な状態でのチップ２３０の容器２１００からの取り出しの利便性を高める観点からより一層効果的である。
【００５６】
また、複室容器２１０がそれぞれの開口部２１１の周囲に突条２１２をさらに有することは、複室容器２１０が突条２１２を有さない場合に比べて、フィルム２２０と複室容器２１０との接着面積が拡がることから、複室容器２１０に対するフィルム２２０の接着強度を高める観点からより一層効果的である。
【００５７】
［変形例］
さらに、本発明の実施の形態は、本発明の効果が得られる範囲において、さらなる変形例を含んでいてもよい。
【００５８】
たとえば、図１０Ａに示される係止部は、Ｘ方向に突出する四角柱状の突出部５５１で構成されている。また、図１０Ｂおよび図１０Ｃに示される支持枠６００は、支持枠６００の内壁面の一端部に四角柱状に切り欠かれた凹部６１０を有している。突出部５５１は、凹部６１０に嵌合する。このように、密閉容器の支持枠への係止には、棒が穴に挿入される形態や、凸部が凹部に嵌合する形態などの種々の形態を採用することが可能である。
【００５９】
また、上記の実施形態では、上記第１の切断線の両端は、上記開口部の配列方向において、上記第２の切断線の両端よりも外側にあったが、その逆、すなわち、上記開口部の配列方向における上記第２の切断線の両端の位置は、上記第１の切断線の両端の位置よりも外側にあってもよい。この構成も、前述した、第１の切断線の両端が第２の切断線の両端よりも外側にあることによる効果と同じ効果を奏する。
【００６０】
また、上記第１の切断線および上記第２の切断線は、前述した、上記フィルムを切断している部分であってもよいし、ミシン目のような破断線や、ハーフカット部のような半切断線などの、第２の折れ蓋部を容器側に押した時にフィルムを切断する構造であってもよい。
【００６１】
また、第１の切断線および第２の切断線の平面視形状は、曲線でなくてもよい。たとえば、図１１Ａに示されるように、第１の切断線７２３の形状および第２の切断線７２４の形状は、いずれも、間に一角を形成する二本の直線からなる形状であってもよい。
【００６２】
また、第１の切断線および第２の切断線の一方の線の両端の位置は、他方の線の両端よりも外側になくてもよい。たとえば、図１１Ｂに示されるように、第１の切断線８２３の一端および他端は、いずれも、第２の切断線８２４の一端および他端よりも、Ｘ方向における一方側に位置していてもよい。
【００６３】
また、第１の切断線の両端の位置および第２の切断線の両端の位置は、Ｘ方向における開口部２１１の内側でなくてもよい。たとえば、図１１Ｃに示されるように、第１の切断線９２３の両端および第２の切断線９２４の両端のいずれもが、Ｘ方向における開口部２１１の外側に位置していてもよい。
【００６４】
第１の切断線および第２の切断線は、いずれも開口部２１１上に配置され、第２の切断線が第１の切断線を取り囲んでいてもよい。たとえば、図１２Ａに示されるように、第１の切断線１０２３は、円弧形状に形成され、第２の切断線１０２４は、第１の切断線１０２３よりも外側の、第１の切断線１０２３よりも大径の円弧形状に形成されていてもよい。このように、第１の切断線１０２３が第２の切断線１０２４に取り囲まれていることは、第１の折れ蓋部とほぼ同形状の開口をフィルム２２０に形成することが可能になるので、フィルム２２０に所期の形状の大きな開口を形成する観点からより効果的である。
【００６５】
また、図１２Ｂに示されるように、第１の折れ蓋部は、第２の折れ蓋部に実質的に重なっていてもよい。第１折れ蓋部および第２折れ蓋部の平面形状は、いずれも矩形であり、第１の切断線１１２３および第２の切断線１１２４の平面形状は、いずれも、当該矩形の三辺で構成される形状である。第１の切断線１１２３および第２の切断線１１２４における当該三辺のうちの、対向する二辺はいずれもＹ方向に平行であり、間の一辺はＸ方向に平行である。第１の切断線１１２３の当該間の一辺は、Ｙ方向において、第２の切断線１１２４の両端の位置よりもわずかに外側に配置されているが、第１の切断線１１２３の対向する二辺は、第２の切断線１１２４よりも内側に配置されている。このように、第２の切断線１１２４が、少なくともＸ方向において、第１の切断線１１２３よりも外側にあっても、第１の折れ蓋部と第２の折れ蓋部は実質的に重なり合い、第１の折れ蓋部とほぼ同形状の開口をフィルム２２０に形成することが可能になる。よって、本発明においては、より小さな一方の折れ蓋部が、より大きな他方の折れ蓋部に、一方の折れ蓋部の面積の大部分（例えば９０％以上）で重なっている場合も、当該他方の折れ蓋部の切断線が一方の折れ蓋部の切断線を「取り囲んでいる」と言える。以上より、上記の場合も、フィルム２２０に所期の形状の大きな開口を形成する観点からより効果的である。
【００６６】
なお、図１２Ａおよび図１２Ｂでは、より外側の第２折れ蓋部がより内側の第１折れ蓋部がよりも大きな形態を示したが、第１折れ蓋部が第２折れ蓋部よりも大きくてもよい。また、第１折れ蓋部がＸ方向に対して折れ曲がり、第２の折れ蓋部がＹ方向に対して折れ曲がるなど、第１の折れ蓋部の折れ曲がる方向および第２の折れ蓋部が折れ曲がる方向は、互いに交差する方向であってもよい。
【００６７】
また、前述した実施形態では、第１の切断線および第２の切断線の平面視形状は、弦がＸ方向に沿う弧状であるが、当該弦の向きは、Ｘ方向でなく、Ｘ方向に直交するＹ方向であってもよいし、Ｘ方向およびＹ方向のいずれに対しても斜めであるＷ方向でもよい。また、上記弦の向きは、全ての切断線において同じであってもよいし、異なっていてもよい。
【００６８】
また、例えば、図１３に示されるように、複室容器５１０が前述した突条を有さず、フィルム２２０は、複室容器５１０における開口部２１１側の端面、および、容器５１００の内周壁における開口部２１１側の端部、に接着して開口部２１１を密閉していてもよい。容器５１００の内周壁における開口部２１１側の端部に接着されているフィルム２２０の部分のＺ方向における長さ（すなわち、フィルム２２０が接着される上記内周壁の部分の、開口部２１１からのＺ方向における距離である。図１３中のｄ）は、例えば０．５〜１．０ｍｍである。たとえば、フィルム２２０の熱融着時に、シリコーンゴム製の弾性体などの耐熱性の弾性体で、フィルム２２０を複室容器５１０に向けて適度な力で押圧することによって、上記のようにフィルム２２０を複室容器５１０に接着することができる。
【００６９】
上記のように、フィルム２２０を容器５１００の内周壁端部に接着することにより、上記突条を有さない複室容器５１０であっても、十分な接着面積で複室容器５１０にフィルム２２０を接着することが可能となる。このように、フィルム２２０が複室容器５１０における開口部２１１側の端面、および、容器５１００の内周壁における開口部２１１側の端部、に接着して開口部２１１を密閉していることは、複室容器５１０に対するフィルム２２０の接着強度を高める観点からより一層効果的である。
【００７０】
また、容器２１００、５１００は、空でもよい。容器２１００、５１００が空であっても、開封した容器２１００、５１００を、エンドトキシンフリーの清浄な器具として、使用することが可能である。
【００７１】
また、第１の折れ蓋部の表面の少なくとも一部または第２の折れ蓋部の表面の少なくとも一部を、ゴムなどの強い摩擦力を発現する樹脂材料で構成してもよい。当該構成によれば、被収容物を容器から取りだすときに第１の折れ蓋部および第２の折れ蓋部をより確実に裏返させる観点から有利である。
【００７２】
また、上記フィルムにおける上記開口部間の位置に破断線をさらに有していてもよい。このような構成は、上記薄肉部を破断したときにフィルムも同時に裂けるため、個別の容器に分割するのにより便利である。
【００７３】
また、上記支持枠は、有底であってもよいし、蓋をさらに有していてもよい。また、前述した破断線の形状は、直線でもよいし、曲線部を含む非直線であってもよい。
【００７４】
なお、フィルム２２０はイージーピールフィルムでなくてもよい。たとえば、フィルム２２０は、第１の切断線２２３が予め形成されている第１のフィルム層２２１用のフィルムと、第２の切断線２２４が予め形成されている第２のフィルム層２２２用のフィルムとを重ね、両フィルムを、複室容器２１０の開口部２２１側の端面に直接熱融着することによって構成することも可能である。
【００７５】
また、本発明の一実施の形態として、八つの容器２１００が一列に配列した複室容器２１０を含む形態を前述したが、本発明に係る密閉容器が、容器２１００とフィルム２２０の開口部２１１に対応する部分とから構成されることも可能である。また、上記複室容器の構成は、容器が一列に配列した構成に限定されず、例えば、複室容器は、上記容器が複数列に配列して構成されていてもよいし、開口部をＺ方向の一方に向けて集合して（例えば束状に集合して）構成されていてもよい。
【産業上の利用可能性】
【００７６】
本発明に係る密閉容器は、清浄な状態で容器に収容された被包装物を清浄な状態のまま容器から取り出すことができる。本発明に係る密閉容器および密閉容器セットは、例えば、医療に係る検査、実験および医薬の調製などの、エンドトキシンによる汚染が許されない技術分野に適用され、当該技術分野のさらなる発展に寄与することが期待される。
【符号の説明】
【００７７】
１０  液体容器
１１  液体供給部
１２  容器本体
１３  枠
１４  封止シート
１５  蒸発防止シート
１６  貫通孔
１７  カバー
１８  切り込み
２０  チップ
１００  密閉容器セット
２００  密閉容器
２１０、５１０  複室容器
２１１  開口部
２１２  突条
２２０  フィルム
２２１  第１のフィルム層
２２２  第２のフィルム層
２２３、７２３、８２３、９２３、１０２３、１１２３  第１の切断線
２２４、７２４、８２４、９２４、１０２４、１１２４  第２の切断線
２２５  第１の折れ蓋部
２２６  第２の折れ蓋部
２３０  チップ
２４０  薄肉部
２５０  係止部
２５１  突出部
２５２  棒
３００、６００  支持枠
３１０  穴
６１０  凹部
２１００、５１００  容器
【図１】
2015098351.tif 000003
【図２】
2015098351.tif 000004
【図３】
2015098351.tif 000005
【図４】
2015098351.tif 000006
【図５】
2015098351.tif 000007
【図６】
2015098351.tif 000008
【図７】
2015098351.tif 000009
【図８】
2015098351.tif 000010
【図９】
2015098351.tif 000011
【図１０】
2015098351.tif 000012
【図１１】
2015098351.tif 000013
【図１２】
2015098351.tif 000014
【図１３】
2015098351.tif 000015